(57)【特許請求の範囲】
【請求項１】
燃焼室を備えていてその中に歯科補綴材ならびに駆動モータによって回転させることができる少なくとも１つのサセプタが配置され、さらに前記サセプタの支援によって前記歯科補綴材を間接的に加熱するマイクロ波放射源を備えてなる、少なくとも１個の歯科補綴材を熱処理するためのマイクロ波オーブンであり、前記サセプタ（１６）が少なくとも部分的にマイクロ波遮断性であるとともにマイクロ波放射源（３０）が前記サセプタ（１６）の下方に配置されることを特徴とするマイクロ波オーブン。
【請求項２】
サセプタ（１６）の面積の中心がサセプタ（１６）の回転軸（１８）に対して半径方向に偏位して配置されるか、またはサセプタ（１６）の回転軸（１８）と一致することを特徴とする請求項１記載のマイクロ波オーブン。
【請求項３】
サセプタ（１６）がリングあるいはディスクの形状に形成されるか、および／または歯科補綴材（２６）のための少なくとも１枚の支承面を備えることを特徴とする請求項１または２記載のマイクロ波オーブン。
【請求項４】
サセプタが円形の外側輪郭を有するか、または円形とは異なった外側輪郭を有することを特徴とする請求項１ないし３のいずれかに記載のマイクロ波オーブン。
【請求項５】
サセプタ（１６）が少なくとも部分的に閉鎖された容器体として形成されることを特徴とする請求項１ないし３のいずれかに記載のマイクロ波オーブン。
【請求項６】
特に専らマイクロ波を用いて動作するマイクロ波オーブン（１０）の動作温度範囲が室温と２２００℃の間であることを特徴とする請求項１ないし５のいずれかに記載のマイクロ波オーブン。
【請求項７】
マイクロ波オーブン（１０）の内部がガス遮断性に密封されるとともに、マイクロ波オーブン（１０）にユーザが選択した所定のガスを充填するか、および／または気抜きし得ることを特徴とする請求項１ないし６のいずれかに記載のマイクロ波オーブン。
【請求項８】
１個あるいは複数のサセプタ（１６）が回転テーブル（２８）に対して固定的に結合され、歯科補綴材が存在しない場合においてもマイクロ波オーブン（１０）にマイクロ波放射線を照射するための基本負荷を成すことを特徴とする請求項１ないし７のいずれかに記載のマイクロ波オーブン。
【請求項９】
回転テーブル（２８）に結合されるサセプタがモード撹拌器として作用することを特徴とする請求項１ないし８のいずれかに記載のマイクロ波オーブン。
【請求項１０】
少なくとも１つの高温耐性の接触あるいは支承面がサセプタ上あるいはサセプタ内に設けられ、前記支承面が歯科補綴材（２６）を受容するように作用することを特徴とする請求項１ないし９のいずれかに記載のマイクロ波オーブン。
【請求項１１】
燃焼室内に固定的に配置される少なくとも１つの高温耐性の支承面がサセプタの上方に配置され、前記支承面が歯科補綴材を受容するように作用することを特徴とする請求項１ないし１０のいずれかに記載のマイクロ波オーブン。
【請求項１２】
サセプタ（１６）および／または高温耐性の支承面および／または歯科補綴材（２６）が温度検出要素、特に光学式の温度検出要素と協働作用し、また特にサセプタ（１６）および／または駆動モータがマイクロ波出力を検出する計測装置と協働作用することを特徴とする請求項１ないし１１のいずれかに記載のマイクロ波オーブン。
【請求項１３】
光学式の温度検出要素がサセプタ（１６）の表面および／または高温耐性の支承面および／または歯科補綴材（２６）の表面を指向し、温度検出要素の検出領域の焦点が駆動モータの回転軸（１８）の外部に存在することを特徴とする請求項１２記載のマイクロ波オーブン。
【請求項１４】
計測装置内で反射するマイクロ波放射線を最小化するために駆動モータによってサセプタ（１６）の位置を回転の方向および／または垂直方向に変更可能とすることを特徴とする請求項１ないし１３のいずれかに記載のマイクロ波オーブン。
【請求項１５】
温度検出要素はサセプタ（１６）および／または高温耐性の支承面および／または歯科補綴材の特定の位置あるいは領域上で温度を検出し、所与の設定温度との相違が判定された際に駆動モータがサセプタ（１６）を少なくとも数°の角度で回転させるよう作用することを特徴とする請求項１ないし１４のいずれかに記載のマイクロ波オーブン。
【請求項１６】
サセプタ（１６）は定位置に保持されるか、または時限的あるいは周期的に同一方向あるいは交互に異なった方向に回転させることができ、および／またはサセプタ（１６）が特にその回転中に垂直方向に調節可能であることを特徴とする請求項１ないし１５のいずれかに記載のマイクロ波オーブン。
【請求項１７】
サセプタ（１６）は２０Ｗ／ｍＫ超の熱伝導率を有するとともに、少なくとも部分的に最低でも０．５ｍｍの壁厚を有することを特徴とする請求項１ないし１６のいずれかに記載のマイクロ波オーブン。
【請求項１８】
サセプタが特に鉢あるいはディスクあるいは坩堝として複数部材から形成されることを特徴とする請求項１ないし１７のいずれかに記載のマイクロ波オーブン。
【請求項１９】
サセプタは少なくとも１枚の大面積のディスク、および／または特に互いに左右および／または上下に配置されたディスク状、リング状、棒状、あるいは球形状の複数の小さな構成要素を組み合わせたディスク状の構造を有するよう形成されることを特徴とする請求項１ないし１８のいずれかに記載のマイクロ波オーブン。
【発明の詳細な説明】
【技術分野】
【０００１】
この発明は、請求項１前段に記載の少なくとも１個の歯科補綴材を熱処理するためのマイクロ波オーブンに関する。
【背景技術】
【０００２】
この種のマイクロ波オーブンは以前から知られている。歯科補綴材を加熱するために、例えば独国特許出願公開第４１０２１２９号（Ａ１）明細書により回転テーブルを備えたマイクロ波オーブンを提供し、歯科補綴材を硬化のためにその中に収容することが知られている。公知の方式によれば、形成されるマイクロ波放射線の均等化を達成する必要がある。
【０００３】
前記の方式は歯科補綴材の重合に関するものであるが、歯科用分野において回転テーブルをサセプタと組み合わせることが知られており、それに関しては国際公開第９６／４１５００号パンフレット（独国特許出願公開第１９６８１４３２号（Ｔ１）明細書）を参照することができる。
【０００４】
さらに、欧州特許第１０６０７１３号（Ｂ１）明細書により、歯科用セラミックの焼成のためにサセプタ要素との組み合わせによって回転テーブルを使用することが知られている。この方式は効果的なものであり、歯科用セラミック部材の加熱のためにマイクロ波放射線を使用することが著しい改善を示す。しかしながら回転テーブルを使用するにもかかわらず、特に歯科技工所において要望される短いサイクル時間の観点において、歯科用セラミック部材の加熱曲線をさらに改善することが必要である。
【先行技術文献】
【特許文献】
【０００５】
【特許文献１】独国特許出願公開第４１０２１２９号（Ａ１）明細書
【特許文献２】国際公開第９６／４１５００号パンフレット
【特許文献３】独国特許出願公開第１９６８１４３２号（Ｔ１）明細書
【特許文献４】欧州特許第１０６０７１３号（Ｂ１）明細書
【発明の概要】
【発明が解決しようとする課題】
【０００６】
従って本発明の目的は、加熱の均一性には影響を与えることなく加熱サイクルの点に関して改善された、請求項１前段に記載のマイクロ波オーブンを提供することにある。
【課題を解決するための手段】
【０００７】
前記の課題は本発明に従って請求項１の特徴によって極めて有効に解決される。従属請求項によって好適な追加構成が定義されている。
【０００８】
本発明によれば、少なくとも部分的にマイクロ波遮断性のサセプタの下方にマイクロ波放射源を配置することによって、マイクロ波源のサセプタへの結合とそれに従った歯科材料への間接的な結合が著しく改善される。前記サセプタはディスク形状とするか、必要であれば隆起した縁部を有するディスクとされる。マイクロ波源をサセプタの下方に配置することによって、放出された放射線がまずサセプタに衝突し従って直接歯科用セラミック材料には衝突しないことが保証される。この方式によって好適な間接加熱が著しく簡便な手法で保証される。さらにサセプタがその上に支承されている歯科補綴材を形成する歯科用材料を大面積でかつ良好な熱接続によって加熱し、その際本発明に従って極めて良好なマイクロ波放射線のフィールド均一化が達成される。本発明によれば、サセプタが同時にモード撹拌器として作用する。
【０００９】
高温耐性の容器が少なくとも１本の貫通孔あるいは横方向の溝部を備え、それを介して温度検出要素がサセプタの温度を測定することができる。
【００１０】
マイクロ波放射源が正確にサセプタの下方に配置されれば特に好適であることが理解される。ここで放射源とは適宜な導波管の放射口に係るものとする。しかしながら、一定の横偏位を作用させることも可能であり、それによって放射源はサセプタ平面の下方には位置するもののディスク形状のサセプタに対して僅かに半径方向外側に位置する。サセプタの半径方向の端から見て、垂直線に対して角度４５°の偏位が極めて効果的なものである。
【００１１】
好適な構成形態によれば、サセプタの面積の中心が回転軸に対して半径方向に偏位して配置される。この方式によれば、異なった強度で放射線を吸収する各領域が回転に際して周期的にマイクロ波放射線に曝され、従って部分的に強くまた部分的には弱くなるマイクロ波放射線が効率良く利用されるため、加熱の均一性が著しく改善される。この点に関して、マイクロ波放射源を回転テーブルの回転軸から幾らか外側に配置すれば好適であることが理解される。
【００１２】
変更された実施形態によれば、サセプタが実質的にポットの形状を有し、従って少なくとも部分的に遮蔽される。この解決方式によれば、サセプタから横方向に反射されたマイクロ波放射線も吸収され、その結果例えば７００あるいは８００℃の上昇した温度でマイクロ波放射線に直接結合する前に歯科補綴材を加熱するように作用する。
【００１３】
回転テーブルとして、例えば耐熱ガラスで形成されたマイクロ波透過性で薄型の回転テーブルを使用するか、またはサセプタ自体を回転テーブルとして形成し得ることが理解される。サセプタは例えば充分な強度を有する炭化珪素から形成することができ、その際歯科補綴材が存在しない場合にサセプタがマイクロ波オーブンのマイクロ波衝突に対する基本負荷を形成することが好適である。
【００１４】
好適な実施形態によれば、サセプタの面積の中心がサセプタの回転軸に対して半径方向に偏位して配置される。
【００１５】
好適な実施形態によれば、サセプタの面積の中心がサセプタの回転軸と一致する。
【００１６】
好適な実施形態によれば、サセプタがリングあるいはディスクとして形成されるか、および／または歯科補綴材のための少なくとも１枚の支承面を備える。
【００１７】
好適な実施形態によれば、サセプタが円形の外側輪郭を有するか、または円形とは異なった外側輪郭を有する。
【００１８】
好適な実施形態によれば、サセプタがそのサセプタの回転軸に対して平行に延在する少なくとも１個のサセプタ構成要素を含み、それが特にリング状の部位として形成される。
【００１９】
好適な実施形態によれば、サセプタが特に少なくとも部分的に閉鎖された容器体として形成される。
【００２０】
好適な実施形態によれば、特に専らマイクロ波を用いて動作するマイクロ波オーブンの動作温度範囲が室温と２２００℃の間である。
【００２１】
好適な実施形態によれば、マイクロ波オーブンの内部がガス遮断性に密封されるとともに、マイクロ波オーブンにユーザが選択した所定のガスを充填するか、および／または気抜きし得る。
【００２２】
好適な実施形態によれば、１個あるいは複数のサセプタが回転テーブルに対して固定的に結合され、歯科補綴材が存在しない場合においてもマイクロ波オーブンにマイクロ波放射線を照射するための基本負荷を成す。
【００２３】
好適な実施形態によれば、回転テーブルに結合されるサセプタがモード撹拌器として作用する。
【００２４】
好適な実施形態によれば、回転テーブルも同時にモード撹拌器として形成され歯科補綴材を収容するための坩堝あるいは鉢の形状としてサセプタと結合される。
【００２５】
好適な実施形態によれば、少なくとも１つの高温耐性の接触あるいは支承面がサセプタ上あるいはサセプタ内に設けられ、前記支承面が歯科補綴材を受容するように作用する。
【００２６】
好適な実施形態によれば、燃焼室内に固定的に配置される少なくとも１つの高温耐性の支承面がサセプタの上方に配置され、前記支承面が歯科補綴材を受容するように作用する。
【００２７】
好適な実施形態によれば、サセプタおよび／または高温耐性の支承面および／または歯科補綴材が温度検出要素、特に光学式の温度検出要素と協働作用し、また特にサセプタおよび／または駆動モータがマイクロ波出力を検出する計測装置と協働作用する。
【００２８】
好適な実施形態によれば、光学式の温度検出要素がサセプタの表面および／または高温耐性の支承面および／または歯科補綴材の表面を指向し、温度検出要素の検出領域の焦点が駆動モータの回転軸の外部に存在する。
【００２９】
好適な実施形態によれば、計測装置内で反射するマイクロ波放射線を最小化するために駆動モータによってサセプタの位置を回転の方向および／または垂直方向に変更可能とする。
【００３０】
好適な実施形態によれば、温度検出要素はサセプタおよび／または高温耐性の支承面および／または歯科補綴材の特定の位置あるいは領域上で温度を検出し、所与の設定温度との相違が判定された際に駆動モータがサセプタを少なくとも数°の角度で回転させるよう作用する。
【００３１】
好適な実施形態によれば、サセプタは定位置に保持されるか、または時限的あるいは周期的に同一方向あるいは交互に異なった方向に回転させることができ、および／またはサセプタが特にその回転中に垂直方向に調節可能である。
【００３２】
好適な実施形態によれば、サセプタは２０Ｗ／ｍＫ超の熱伝導率を有するとともに、少なくとも部分的に最低でも０．５ｍｍの壁厚を有する。
【００３３】
好適な実施形態によれば、サセプタが特に鉢あるいはディスクあるいは坩堝として複数部材から形成される。
【００３４】
好適な実施形態によれば、サセプタは少なくとも１枚の大面積のディスク、および／または特に互いに左右および／または上下に配置されたディスク状、リング状、棒状、あるいは球形状の複数の小さな構成要素を組み合わせたディスク状の構造を有するよう形成される。
【００３５】
本発明のその他の詳細、特徴、ならびに種々の利点は添付図面を参照しながら以下に記述する複数の実施例の説明によって明らかにされる。
【図面の簡単な説明】
【００３６】
【図１】本発明に係るマイクロ波オーブンの第１の実施例を示した概略図である。
【図２】本発明に係るマイクロ波オーブンの別の実施例を示した概略図である。
【図３】本発明に係るマイクロ波オーブンの第３の実施例を示した概略図である。
【図４】本発明に係るマイクロ波オーブンの第４の実施例を示した概略図である。
【図５】本発明に係るマイクロ波オーブンの第５の実施例を示した概略図である。
【図６】本発明に係るマイクロ波オーブンの第６の実施例を示した概略図である。
【図７】本発明に係るマイクロ波オーブンの第７の実施例を示した概略図である。
【図８】本発明に係るマイクロ波オーブンのサセプタが燃焼室ならびに回転軸に対して円対称の構成を有する実施例を示した概略図である。
【図９】図８のものに対してサセプタが回転軸に対して非対称に支承される実施例を示した概略図である。
【図１０】図８のものに対して上面において正方形のサセプタが使用される別の実施例を示した概略図である。
【図１１】図８のものに対してサセプタが実質的にダンベル型であるものの円対称に支承される別のサセプタの実施例を示した概略図である。
【図１２】図８のサセプタの別の実施例を示した概略図である。
【図１３】図８のものに対して別のリング型のサセプタの実施例を示した概略図である。
【図１４】図８に示されたものと異なって４個の個別のサセプタを備えた別の実施例のサセプタ構成を示した概略図である。
【発明を実施するための形態】
【００３７】
図１に示されたマイクロ波オーブン１０は断熱材料１４によって被包された燃焼室１２を含む。マイクロ波オーブン１０は回転軸１８の周りでサセプタ１６を回転させる駆動モータ（図示されていない）を備えている。そのため、駆動モータは駆動シャフト２０上に配置することができるが、伝達機構を介して前記駆動シャフトから横方向にずらして配置することもできる。図示された実施例において、断熱材料１４中の間隙（図示されていない）を介して空気２２を供給する通気装置が駆動シャフト２０と同軸に設けられ、図１においては通気装置２４が代表として概略的に示されている。前記の通気装置２４は、特に燃焼工程の終了後に急速な冷却を提供するため、または熱処理工程中に燃焼室に所要のガス媒体を供給するために必要に応じて点入される。
【００３８】
図示された実施例において、サセプタ１６はディスクあるいは平型のポットの形状を有する。これは、図１に概略的に示された歯科補綴材２６を受容するよう機能する。図示された実施例において、サセプタ１６は表面上に装着されるような方式で回転テーブル２８上に配置される。しかしながら、サセプタを直接駆動シャフト２０上に固定することも可能である。
【００３９】
本発明によれば、マイクロ波放射源３０がサセプタ１６の下方に配置される。前記マイクロ波放射線源は導波管出口３２を備えていてマイクロ波放射線を下方からサセプタ１６に照射し、すなわち言い換えるとマイクロ波放射線が歯科補綴材２６に直接衝突することを防止する。
【００４０】
図示された実施例おいて、サセプタ１６と燃焼室１２の壁との間にスロット３４が設けられる。そのスロット３４の幅は所定割合のマイクロ波放射線が横方向に通過することもできるが主要な成分はいずれにしてもサセプタ１６に伝導するように選択される。
【００４１】
周知の方式により、温度センサ３６、例えば燃焼室の温度および／または歯科補綴材の温度を測定する高温計が設けられる。
【００４２】
本発明によれば、サセプタ１６の回転速度も任意の適宜な方式によって設定することが特に好適である。例えば、前記回転速度は毎分０．５ないし７０回転とすることができ、また可変のあるいはクロック制御された回転速度を実施することもでき、さらにそれを両方の回転方向にすることもできる。
【００４３】
この方式において到達し得る歯科用セラミック材料の最大燃焼温度は２２００℃となる。回転テーブル２８が供給されたマイクロ波に対するモード撹拌器として作用するように形成されることが極めて好適である。他方、サセプタは少なくとも２０Ｗ／ｍＫの極めて高い熱伝導率を有するもので、炭化珪素および／または酸化ジルコニウムおよび／またはＳｉＣとＳｉＮｉの混合物から形成することが好適である。
【００４４】
供給されるマイクロ波エネルギー（Ｐソース）に対して反射されるマイクロ波エネルギー（Ｐ反射）を最小化するために、回転の方向および／または垂直方向にサセプタの位置を移動させることができる。
【００４５】
図２ないし図７に示された別の実施例は図１の実施例と同じ基本構成を有し、同一の構成要素は同じ参照符号によって示される。
【００４６】
図２に示された第２の実施例は平型のディスク形状の回転テーブル２８を含み、その上に同様に平型かつディスク形状のサセプタ１６が装着される。
【００４７】
回転テーブル２８は駆動シャフト２０上に支承され、この実施例において前記駆動シャフトはその回転軸周りの回転性とは無関係に垂直方向に移動させることができる。
【００４８】
この構成において、高温耐性収容部材を形成するサセプタ１６が少なくとも１本の貫通口３８を含み、歯科補綴材２６は前記高温耐性収容部材上で前記貫通口３８に近接して支承される。
【００４９】
それとは対照的に、図３においてはサセプタ１６が２個の部材から形成される。第１の部材は平面状あるいは平型の構造で回転テーブル２８の窪み内に受容される。それが独立した高温耐性受容部材４０によって被覆され、その上に歯科補綴材２６が配置される。
【００５０】
図１ないし図３のポット形状のサセプタ１６の構成に加えて、サセプタ蓋部材４２が設けられ、それがサセプタ要素１６と同一面に存在しそのサセプタ要素と共に、歯科補綴材２６を受容するように形成されたスペースを包囲する。
【００５１】
図４に示された第４の実施例も平面状あるいは平型のサセプタ１６を含む。この実施例において、サセプタ１６は窪みの方式で回転テーブル２８内に受容される。回転テーブル２８の縁部上において歯科補綴材２６を受容する高温耐性受容部材４０が、サセプタ１６に向かって空隙４４が残されるようにして支承される。
【００５２】
図５に示された第５の実施例は、同様に窪みの方式で配置されたサセプタ１６がそのサセプタ１６の下方に延在するとともにディスク、リング、棒等の個々のサセプタ構造から形成された追加的なサセプタ４８を備える点において図４の実施例と異なっており、その際サセプタ顆粒を使用することもできる。
【００５３】
回転テーブル２８上のサセプタ１６は非対称型の実施形態が図６に示された第６の実施例によって開示されている。この実施例において、サセプタは回転テーブル２８内に窪み方式によって受容され、その際回転テーブルの表面とサセプタが同一平面上にある。サセプタの中央部のみに歯科補綴材を受容するように設計された高温耐性受容部材４０が設けられる。
【００５４】
図７の実施例は、オーブンに固定された支持部材５０上に歯科補綴材が支承され、前記支持部材５０が回転テーブル２８およびサセプタ１６の上方で燃焼室１２の断熱材料１４から側方に向かって延在する点において他の実施例と異なっている。前記の延在は、可能である限り、図示された実施例においては回転テーブル２８の直径の半分を幾らか超えて非対称形に成される。
【００５５】
図８により、例えば図１ないし図３の実施例においてサセプタ１６が燃焼室１２内でどのように延在し得るかが示されている。この実施例において、サセプタは上面で見て円形のディスクとなり、それが回転軸１８周りで周回あるいは回転する。
【００５６】
図９には、非対称に装着されたサセプタ１６の構成を有するサセプタ１６の実施例が示されている。この実施例のサセプタ１６は燃焼室１２の内径までにわたって延在し、例えば燃焼室１２の内径の３／５の直径を有する。
【００５７】
対称形のサセプタ１６の構成が図１０に示されている。この実施例においてはサセプタ１６が正方形に形成され、対称な方式で回転軸上に支承される。
【００５８】
図１１のサセプタ１６も対称な方式で支承される。このサセプタはプロペラの形式で形成され、従って上方に配置された補綴材に対する回転動作が遮蔽効果と露出を交互にもたらすように構成されている。
【００５９】
図１２によれば、それぞれ異なった形状を有することもできる複数の貫通口が設けられてそれらがサセプタ１６上に分散して配置され、そのことを除けばサセプタは円形に形成されるとともに回転軸１８上に対称に支承される。
【００６０】
図１４によれば、サセプタ１６がリング形状に形成されるとともに燃焼室１２のオーブン壁部に沿って延在するが、回転軸周りで対称に支承される。
【００６１】
図１４の実施例は回転テーブル２８上に載置された複数のサセプタ１６の構成を示している。この構成は回転軸１８周りで対称であり、またこの実施例においてサセプタ１６は実質的に四葉のクローバーの形式で形成される。
【符号の説明】
【００６２】
１０  マイクロ波オーブン
１２  燃焼室
１４  断熱材料
１６  サセプタ
１８  回転軸
２０  駆動シャフト
２２  空気
２４  通気装置
２６  歯科補綴材
２８  回転テーブル
３０  マイクロ波放射線源
３２  導波管出口
３４  スロット
３６  温度センサ
３８  貫通口
４０  高温耐性収容部材
４２  サセプタ蓋部材
４４  空隙
５０  支持部材
【図１】
0005202700.tif 000002
【図２】
0005202700.tif 000003
【図３】
0005202700.tif 000004
【図４】
0005202700.tif 000005
【図５】
0005202700.tif 000006
【図６】
0005202700.tif 000007
【図７】
0005202700.tif 000008
【図８】
0005202700.tif 000009
【図９】
0005202700.tif 000010
【図１０】
0005202700.tif 000011
【図１１】
0005202700.tif 000012
【図１２】
0005202700.tif 000013
【図１３】
0005202700.tif 000014
【図１４】
0005202700.tif 000015